【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
ボトムカバーと、
少なくとも一つの光源を含む発光素子モジュールを備え、前記ボトムカバー上に互いに隣接して配置される複数の発光アセンブリと、
前記各発光アセンブリの発光素子モジュールに電源を供給する電源供給部と、
前記各発光アセンブリの発光素子モジュールのうち、前記各発光アセンブリの外側領域に位置する発光素子と前記各発光アセンブリの中央領域に位置する発光素子にそれぞれ異なる電流量が印加されるように前記電源供給部を制御する制御部と、
を含むバックライトユニット。
【請求項２】
前記制御部は、前記各発光アセンブリの外側領域に位置する発光素子に印加される電流量を、前記各発光アセンブリの中央領域に位置する発光素子に印加される電流量よりも大きくなるように制御する、請求項１に記載のバックライトユニット。
【請求項３】
前記発光アセンブリは、前記発光素子モジュールの上部に配置される導光板を含む、請求項１または２に記載のバックライトユニット。
【請求項４】
前記導光板は、前記発光素子モジュールと対向して、前記発光素子モジュールから放出された光が入射する入射部と、前記入射部から入射した光を前記入射方向と異なる方向に出射させる出射部と、を含む、請求項３に記載のバックライトユニット。
【請求項５】
前記発光素子モジュールは、前記導光板の下部において左右方向に沿って配置される、請求項３または４に記載のバックライトユニット。
【請求項６】
前記制御部は、前記導光板に入射する光の量が前記導光板の左右両端で最大となるように、前記発光素子モジュールに印加される電流量を制御する、請求項３乃至５のいずれか１項に記載のバックライトユニット。
【請求項７】
前記発光素子モジュールは、複数の光源と、前記光源が配置される回路基板と、を含み、
前記光源は、所定の数量が一つの発光単位を構成し、複数の発光単位が一つの発光素子モジュールを構成し、
前記制御部は、前記発光単位別に電流を独立して印加する、請求項３乃至６のいずれか１項に記載のバックライトユニット。
【請求項８】
前記制御部は、前記発光素子モジュールの両端に位置する最外側の発光単位に印加される電流が、前記最外側の発光単位の間に配置される発光単位に印加される電流よりも大きくなるように制御する、請求項７に記載のバックライトユニット。
【請求項９】
前記制御部は、前記ボトムカバーに装着される複数の発光アセンブリに設けられる発光素子モジュールを構成する発光単位のうち、前記ボトムカバーの縁部に最も隣接する発光単位に印加される電流量が、全ての発光単位への電流印加量のうち最大となるように制御する、請求項７または８に記載のバックライトユニット。
【請求項１０】
前記発光アセンブリは、複数個の行及び複数個の列からなるマトリクス形態で配列される、請求項７乃至９のいずれか１項に記載のバックライトユニット。
【請求項１１】
前記制御部は、同一の行に配置される複数の発光アセンブリに設けられる発光素子モジュールの発光単位のうち、最外側に配置される発光単位に印加される電流量が最大となるように制御する、請求項１０に記載のバックライトユニット。
【請求項１２】
前記制御部は、同一の列に配置される複数の発光アセンブリに設けられる発光素子モジュールの発光単位のうち、最下端部に設けられる発光アセンブリの発光素子モジュールの発光単位に印加される電流量が最大となるように制御する、請求項１０または１１に記載のバックライトユニット。
【請求項１３】
ボトムカバーと、
少なくとも一つの光源を含む発光素子モジュールを備え、前記ボトムカバー上に互いに隣接して配置される複数の発光アセンブリと、
前記発光アセンブリから放出される光を拡散させる光学シートと、
前記光学シートの前方に設けられて映像を具現する表示パネルと、
前記各発光アセンブリの発光素子モジュールに電源を供給する電源供給部と、
前記各発光アセンブリの発光素子モジュールのうち、前記各発光アセンブリの外側領域に位置する発光素子と前記各発光アセンブリの中央領域に位置する発光素子にそれぞれ異なる電流量が印加されるように前記電源供給部を制御する制御部と、
を含む表示装置。
【請求項１４】
前記制御部は、前記各発光アセンブリの外側領域に位置する発光素子に印加される電流量を、前記各発光アセンブリの中央領域に位置する発光素子に印加される電流量よりも大きくなるように制御する、請求項１３に記載の表示装置。
【請求項１５】
前記発光アセンブリは、前記発光素子モジュールの上部に配置される導光板を含み、
前記導光板は、前記発光素子モジュールと対向して、前記発光素子モジュールから放出された光が入射する入射部と、前記入射部から入射した光を前記入射方向と異なる方向に出射させる出射部と、を含む、請求項１３または１４に記載の表示装置。
【請求項１６】
前記発光素子モジュールは、前記導光板の下部において左右方向に配置され、
前記制御部は、前記導光板に入射する光の量が、前記導光板の左右両端で最大となるように、前記発光素子モジュールに印加される電流量を制御する、請求項１５に記載の表示装置。
【請求項１７】
前記発光素子モジュールは、複数の光源と、前記光源が配置される回路基板と、を含み、
前記光源は、所定の数量が一つの発光単位を構成し、複数の発光単位が一つの発光素子モジュールを構成し、
前記制御部は、前記発光単位別に電流を独立して印加する、請求項１５または１６に記載の表示装置。
【請求項１８】
前記制御部は、前記発光素子モジュールの両端に位置する最外側発光単位に印加される電流が、前記最外側発光単位の間に配置される発光単位に印加される電流よりも大きくなるように制御する、請求項１７に記載の表示装置。
【請求項１９】
前記制御部は、前記ボトムカバーに装着される複数の発光アセンブリに設けられる発光素子モジュールを構成する発光単位のうち、前記ボトムカバーの縁部に最も隣接する発光単位に印加される電流量が、全ての発光単位への電流印加量のうち最大となるように制御する、請求項１７または１８に記載の表示装置。
【請求項２０】
前記発光アセンブリは、複数個の行及び複数個の列からなるマトリクス形態で配列され、
前記制御部は、同一の行に配置される複数の発光アセンブリに設けられる発光素子モジュールの発光単位のうち、最外側に配置される発光単位に印加される電流量が最大となるように制御する、請求項１７乃至１９のいずれか１項に記載の表示装置。
【請求項２１】
前記各発光アセンブリの外側領域に位置する発光素子に印加される電流量と前記各発光アセンブリの中央領域に位置する発光素子に印加される電流量の大きさは、約２.５：１〜３：１の比を有する、請求項２乃至１２のいずれか１項に記載のバックライトユニット。
【請求項２２】
前記導光板の背面に配置された反射シートをさらに含む、請求項３乃至１２のいずれか１項に記載のバックライトユニット。
【請求項２３】
前記発光素子モジュール、前記導光板及び前記反射シートを固定する固定カバーをさらに含み、
前記固定カバーは、
前記発光アセンブリの上方に配置される第１固定カバーと、
前記発光アセンブリの下方に配置される第２固定カバーと、を含む、請求項２２に記載のバックライトユニット。
【請求項２４】
前記光源に近接するように配置され、且つ前記第１固定カバーの内部に配置された補助反射シートをさらに含む、請求項２３に記載のバックライトユニット。
【請求項２５】
前記補助反射シートは、前記光源の大きさに対応するか、又は、より大きい大きさに形成されている、請求項２４に記載のバックライトユニット。
【請求項２６】
前記補助反射シートは、絶縁物質を含む、請求項２４または２５に記載のバックライトユニット。